(57)【要約】      （修正有）【課題】断熱性能が極めて高く、冷蔵・冷凍倉庫等の間仕切りや出入り口に用いる場合には軟質のカーテンのように開口間口を大きく自在に設けることができる折り畳み式断熱パネルを提供する。【解決手段】折り畳み式断熱パネルは、複数の長方形の板状の断熱材２０が折り畳み方向に並列配置された状態で、Ａｌ層を含む２枚のシートの貼り合わせにより形成された偏平な袋に封入されている。一方のシート１１は断熱材の第１主面の少なくとも周辺部に密着し、他方のシートは断熱材の第２主面の少なくとも周辺部に密着している。２枚のシートは断熱材の折り畳み方向に垂直な第１側面および第２側面の近傍で互いに縫い合わせられて縫い目３０が形成され、第１側面の近傍の縫い目は断熱材の第２主面と第１側面との間の辺に沿って延在し、第２側面の近傍の縫い目は断熱材の第１主面と第２側面との間の辺に沿って延在する。【選択図】図１
0003219140.tif 000002
【実用新案登録請求の範囲】
【請求項１】
複数の長方形の板状の断熱材が折り畳み方向に並列配置された状態で、中間層として少なくとも一層のアルミニウム層を含む第１シートおよび第２シートの貼り合わせにより形成された偏平な袋に封入され、
上記第１シートは少なくとも、それぞれの上記断熱材の第１主面の少なくとも周辺部に密着し、上記第２シートは少なくとも、それぞれの上記断熱材の第２主面の少なくとも周辺部に密着し、
上記第１シートおよび上記第２シートはそれぞれの上記断熱材の折り畳み方向に垂直な第１側面および第２側面の近傍で互いに縫い合わせられて縫い目が形成され、上記第１側面の近傍の上記縫い目は上記断熱材の上記第２主面と上記第１側面との間の辺に沿って延在するとともに、上記第２側面の近傍の上記縫い目は上記断熱材の上記第１主面と上記第２側面との間の辺に沿って延在する折り畳み式断熱パネル。
【請求項２】
上記第１シートおよび上記第２シートの一方の主面がポリエチレンテレフタレート層により形成され、他方の主面が接着フィルムにより形成されている請求項１記載の折り畳み式断熱パネル。
【請求項３】
上記第１シートおよび上記第２シートは中間層として熱により収縮可能な層を有する請求項１または２記載の折り畳み式断熱パネル。
【請求項４】
上記熱により収縮可能な層が打ち込み繊維からなる請求項３記載の折り畳み式断熱パネル。
【請求項５】
上記折り畳み式断熱パネルが断熱アコーディオンカーテンである請求項１〜４のいずれか一項記載の折り畳み式断熱パネル。
【請求項６】
折り畳み方向に垂直な方向の上記袋のそれぞれの上記断熱材に対応する一方の端部に上記断熱アコーディオンカーテンをカーテンレールに取り付ける際に用いられるはとめが形成されている請求項５記載の折り畳み式断熱パネル。
【請求項７】
折り畳み方向に垂直な方向の上記袋の他方の端部にスカートが形成されている請求項５または６記載の折り畳み式断熱パネル。
【考案の詳細な説明】
【技術分野】
【０００１】
この考案は、折り畳み式断熱パネルに関し、例えば、冷蔵・冷凍倉庫等の庫内の空間の間仕切りに用いられる断熱アコーディオンカーテンに適用して好適なものである。
【背景技術】
【０００２】
冷蔵・冷凍倉庫等は、密閉空間に間仕切りされた庫内の温度を空調により一定に保つために、断熱パネルを挟んだ金属板を建て込んだ固定壁に対し、庫内への出入り口・貨物搬入搬出口を軟質の断熱綿入りシートの所謂断熱カーテン（例えば、特許文献１参照。）で仕切ることが行われている。この断熱カーテンは、アコーディオンのように開閉できて、開けた時には大きな開口間口が得られることからフォークリフトの出入りも可能となり、施工もカーテンレール取り付けの簡便さであるといった長所を有するが、カーテンとしての厚みに限界があるため、固定パネルに対し、断熱性能が劣っていた。
【０００３】
一方、出入り口を断熱パネルにより形成する場合には、数枚の大きな幅のパネル内包扉のスライド開閉式扉・上下開閉式扉となるため、開閉間口も自由に取れず、後からの間仕切により小空間を形成するためには設計段階にまで戻らざるを得ず、施工コストも高価となっていた。このため、大きな庫内を小さく有効に、かつ省エネに間仕切るには難点があった。
【０００４】
さらに、冷蔵・冷凍倉庫の庫内壁は熱伝導の良い金属板により形成されるが、結露・着霜の除去に多くの時間と手間を要する。すなわち、冷凍倉庫における金属壁仕様は防霜問題を抱える宿命であった。
【先行技術文献】
【特許文献】
【０００５】
【特許文献１】実願昭５５−３４４３６号（実開昭５６−１３５２２８号）のマイクロフィルム
【考案の概要】
【考案が解決しようとする課題】
【０００６】
冷蔵・冷凍倉庫等においては、冷蔵・冷凍温度の違い、荷主の多様化、多品種少量在庫等、庫内の小分割化のニーズは多い。
【０００７】
しかしながら、本考案者の知る限り、これまで、断熱性能が高く、冷蔵・冷凍倉庫等の出入り口に用いた場合にアコーディオンカーテンのように使用できて開口間口を自在に取ることができ、間仕切りを簡単に行うことができ、庫内壁等の壁材に用いても結露・着霜の問題がない断熱パネルは提案されていない。
【０００８】
そこで、この考案が解決しようとする課題は、断熱性能が極めて高く、冷蔵・冷凍倉庫等の間仕切りや出入り口に用いる場合には軟質のカーテンのように開口間口を大きく自在に設けることができ、冷蔵・冷凍倉庫等の庫内の壁材に用いた場合には結露・着霜の問題がなく、屋内屋外を問わず使用することができ、コンパクトに折り畳むことができるため持ち運びや保管も容易である断熱アコーディオンカーテン等の折り畳み式断熱パネルを提供することである。
【課題を解決するための手段】
【０００９】
上記課題を解決するために、この考案は、
複数の長方形の板状の断熱材が折り畳み方向に並列配置された状態で、中間層として少なくとも一層のアルミニウム層を含む第１シートおよび第２シートの貼り合わせにより形成された偏平な袋に封入され、
上記第１シートは少なくとも、それぞれの上記断熱材の第１主面の少なくとも周辺部に密着し、上記第２シートは少なくとも、それぞれの上記断熱材の第２主面の少なくとも周辺部に密着し、
上記第１シートおよび上記第２シートはそれぞれの上記断熱材の折り畳み方向に垂直な第１側面および第２側面の近傍で互いに縫い合わせられて縫い目が形成され、上記第１側面の近傍の上記縫い目は上記断熱材の上記第２主面と上記第１側面との間の辺に沿って延在するとともに、上記第２側面の近傍の上記縫い目は上記断熱材の上記第１主面と上記第２側面との間の辺に沿って延在する折り畳み式断熱パネルである。
【００１０】
断熱材としては、基本的にはどのようなものを用いてもよく、折り畳み式断熱パネルに要求される仕様や用途等に応じて適宜選ばれるが、具体的には、例えば、フェノール樹脂を原料とするフォーム（例えば、旭化成建材株式会社製の商品名「ネオマフォーム」）、セルローズファイバー、鉱物系のグラスウール、プラスチック系の硬質ウレタンフォーム、ポリスチレンフォーム等である。断熱材のサイズ（各辺の長さ、厚さ）も、折り畳み式断熱パネルに要求される仕様や用途等に応じて適宜選ばれる。
【００１１】
第１シートおよび第２シートの層構造は必要に応じて選ばれるが、典型的には、第１シートおよび第２シートの一方の主面がポリエチレンテレフタレート（ＰＥＴ）層により形成され、他方の主面が接着フィルムにより形成される。また、第１シートおよび第２シートは、好適には、中間層として熱により収縮可能な層、例えば打ち込み繊維クロスからなるものを含む。
【００１２】
折り畳み式断熱パネルは、特に用途は限定されず、断熱が必要な箇所に用いられるものであれば基本的にはどのようなものであってもよいが、例えば、断熱アコーディオンカーテン、断熱マット、断熱カバー等である。特に断熱アコーディオンカーテンの場合には、折り畳み方向に垂直な方向の袋のそれぞれの断熱材に対応する一方の端部に断熱アコーディオンカーテンをカーテンレールに取り付ける際に用いられるはとめが形成され、必要に応じて、折り畳み方向に垂直な方向の袋の他方の端部にスカートが形成される。
【考案の効果】
【００１３】
この考案によれば、中間層として少なくとも一層のアルミニウム層を含む第１シートおよび第２シートにより被覆された断熱材が断熱パネルとなり、第１シートおよび第２シートにより断熱材は外気から遮蔽されるため、断熱性能が極めて高い。また、この複数の断熱パネルは折り畳むことができるため、断熱アコーディオンカーテンとして使用することができる。このため、冷蔵・冷凍倉庫等の間仕切りや出入り口に用いる場合には軟質のカーテンのように開口間口を大きく自在に設けることができる。また、第１シートおよび第２シートは中間層としてアルミニウム層を含むものの、表面には金属を用いる必要がないため、冷蔵・冷凍倉庫等の庫内の壁材に用いた場合に結露・着霜の問題がない。また、この折り畳み式断熱パネルは、中間層として少なくとも一層のアルミニウム層を含む第１シートおよび第２シートにより被覆されているため、屋内屋外を問わず使用することができる。さらに、この折り畳み式断熱パネルは、コンパクトに折り畳むことができるため、持ち運びや保管も容易である。
【図面の簡単な説明】
【００１４】
【図１】一実施の形態による断熱アコーディオンカーテンを示す正面図である。
【図２】一実施の形態による断熱アコーディオンカーテンを示す上面図である。
【図３】一実施の形態による断熱アコーディオンカーテンを示す底面図である。
【図４】一実施の形態による断熱アコーディオンカーテンを示す右側面図である。
【図５】図１の５−５線に沿っての断面図である。
【図６】図１の６−６線に沿っての断面図である。
【図７】図５の一部を拡大した断面図である。
【図８】一実施の形態による断熱アコーディオンカーテンに用いられるシートの具体例としてのＰＥＴ−Ａｌシートの断面構造を示す断面図である。
【図９】一実施の形態による断熱アコーディオンカーテンを少し折り畳んだ状態を示す平面図である。
【図１０】一実施の形態による断熱アコーディオンカーテンを完全に折り畳んだ状態を示す平面図である。
【図１１】一実施の形態による断熱アコーディオンカーテンをカーテンレールに取り付けた状態を示す正面図である。
【図１２】一実施の形態による断熱アコーディオンカーテンをカーテンレールに取り付けた状態でほぼ折り畳んだ状態を示す正面図である。
【図１３】一実施の形態による断熱アコーディオンカーテンをカーテンレールに取り付けた状態でほぼ折り畳んだ状態を示す平面図である。
【図１４】一実施の形態による断熱アコーディオンカーテンの製造方法を示す平面図および断面図である。
【図１５】一実施の形態による断熱アコーディオンカーテンの製造方法を示す平面図および断面図である。
【図１６】一実施の形態による断熱アコーディオンカーテンの製造方法を示す平面図および断面図である。
【図１７】一実施の形態による断熱アコーディオンカーテンの製造方法を示す平面図および断面図である。
【図１８】一実施の形態による断熱アコーディオンカーテンの製造方法を示す正面図である。
【図１９】一実施の形態による断熱アコーディオンカーテンの製造方法を示す正面図である。
【考案を実施するための形態】
【００１５】
以下、考案を実施するための形態（以下「実施の形態」とする）について説明する。
【００１６】
〈一実施の形態〉
［断熱アコーディオンカーテン］
図１〜図６は一実施の形態による断熱アコーディオンカーテン１の展開状態を示し、図１は正面図、図２は上面図、図３は底面図（下面図）、図４は右側面図、図５は図１の５−５線に沿っての断面図（横断面図）、図６は図１の６−６線に沿っての断面図（縦断面図）である。図７に断熱アコーディオンカーテン１の横断面を拡大して示す。図１〜図７に示すように、この断熱アコーディオンカーテン１は、二枚のシート１１、１２の貼り合わせにより形成された偏平な袋の内部に複数の長方形の板状の断熱材２０が折り畳み方向に並列配置された状態で封入されたものであり、全体として長方形の形状を有する。シート１１、１２は、保護層となるプラスチックフィルム（例えば、ＰＥＴ層）と低密度ポリエチレン等からなる接着フィルムとの間に、少なくとも一層のアルミニウム層、打ち込み繊維クロス（基布）およびこれらの層を相互に接着するためのポリエチレン等からなるバインダーを含むものである。ここでは、一例として、断熱材２０が４つの場合について説明するが、断熱材２０の数はこれに限定されるものではなく、必要に応じて選ばれる。これらの断熱材２０は長辺を互いに平行にしてかつ互いにほぼ密接した状態で配置されている。シート１１、１２により断熱材２０が被覆されたものが断熱パネルＰ1 〜Ｐ4 を構成する。シート１１は、それぞれの断熱材２０の第１主面の少なくとも周辺部に密着（あるいは接着）し、好適には折り畳み方向に垂直な第１側面の少なくとも周辺部に密着（あるいは接着）あるいはほぼ密着している。また、シート１２は、それぞれの断熱材２０の第２主面の少なくとも周辺部に密着（あるいは接着）し、好適には折り畳み方向に垂直な第２側面の少なくとも周辺部に密着（あるいは接着）あるいはほぼ密着している。また、シート１１、１２の上部、下部および両側部は接着（熱接着を含む）、熱圧着、溶着等されている。この結果、シート１１、１２からなる袋の内部に断熱材２０が密封されている。このため、断熱材２０はシート１１、１２により外気から遮蔽されている。シート１１、１２は、それぞれの断熱材２０の第１側面および第２側面の近傍でミシン等により互いに縫い合わせられて縫い目３０が形成され、この縫い目３０に沿ってシート１１、１２が互いに密着している。この場合、第１側面の近傍の縫い目３０は断熱材２０の第２主面と第１側面との間の辺に沿って延在するとともに、第２側面の近傍の縫い目３０は断熱材２０の第１主面と第２側面との間の辺に沿って延在する。この結果、断熱パネルＰ1 〜Ｐ4 のそれぞれは、縫い目３０を中心軸として回転することができるため、折り畳むことができるようになっている。縫い目３０は図１のシート１１、１２の上部の端と下部の端との間に亘って形成されている。接着（熱接着を含む）、熱圧着、溶着等されたシート１１、１２の上部は前方に折り返されている。そして、この折り返し部のシート１１、１２と折り返し部の下部のシート１１、１２とを貫通して、カーテンレールにこの断熱アコーディオンカーテンを取り付けるための吊り具（所謂ランナー）を取り付けるための金属製のはとめ４０が取り付けられている。はとめ４０は各断熱材２０の上方に形成されている。一方、シート１１の���部の前面には、この下部の辺に沿って細長い長方形状のスカート５０が取り付けられている。スカート５０は、ミシン等でシート１１、１２と一緒に縫い合わせることでシート１１、１２に固定されている。符号６０は縫い目を示す。スカート５０の高さは、例えば、カーテンレールにこの断熱アコーディオンカーテン１を取り付けた状態でスカート５０の下端がこの断熱アコーディオンカーテン１を設置する部屋の床面や地面等に接触して隙間が発生しないように選ばれるが、これに限定されるものではない。
【００１７】
図８はシール１１、１２としてＰＥＴ−Ａｌシートを用いた場合の層構造を示す。図８に示すように、ＰＥＴ−Ａｌシートは、上から下に向かって順に、ＰＥＴ層７１、Ａｌ蒸着膜７２、バインダー７３、Ａｌ箔７４、バインダー７５、打ち込み繊維クロス（基布）７６、バインダー７７および接着フィルム７８が積層された構造を有する。バインダー７３、７５、７７は例えばポリエチレンフィルムからなる。接着フィルム７８は例えば低密度ポリエチレンからなる。
【００１８】
図９はこの断熱アコーディオンカーテン１を少し折り畳んだ状態、図１０はこの断熱アコーディオンカーテン１を完全に折り畳んだ状態を示す。
【００１９】
［断熱アコーディオンカーテンの設置方法］
この断熱アコーディオンカーテン１の設置方法について説明する。図１１に示すように、この断熱アコーディオンカーテン１を設置する部屋（例えば、冷蔵・冷凍倉庫等の庫内）の互いに対向する壁８１と壁８２との間の天井８３にカーテンレール９０を取り付ける。図１１は断熱アコーディオンカーテン１を展開した状態（出入り口を閉めた状態）を示す。カーテンレール９０にはこのカーテンレール９０内をスライド可能に吊り具５０が取り付けられている。そして、断熱アコーディオンカーテン１の上部のはとめ４０をそれぞれ吊り具５０に取り付ける。こうして断熱アコーディオンカーテン１がカーテンレール９０に取り付けられる。断熱アコーディオンカーテン１とカーテンレール９０との間の隙間は、必要に応じて、例えばカーテンレール９０にこの隙間を塞ぐ布等を取り付けることにより塞ぐことができる。
【００２０】
［断熱アコーディオンカーテンの使用方法］
この断熱アコーディオンカーテン１の使用方法は一般的なアコーディオンカーテンと同様である。すなわち、例えば、断熱アコーディオンカーテン１の一部または全部を開ける場合は、図１１に示す状態で断熱アコーディオンカーテン１の閉じる側を手で持ってをほぼ完全に折り畳んで壁８１側または壁８２側に寄せる。図１２および図１３は断熱アコーディオンカーテン１を壁８２側に寄せた状態を示す正面図および平面図である。一般的には、断熱アコーディオンカーテン１を片開きとする場合、断熱アコーディオンカーテン１の一方の側部のシート１１、１２の貼り合わせ部を直角に折り曲げて例えば壁８２に固定するとともに、断熱アコーディオンカーテン１の他方の側部のシート１１、１２を挟む上下方向に延びる間仕切りポールを取り付け、壁８１にはこの間仕切りポールを受けるフラットバーを取り付け、間仕切りポールに取り付けられたマグネットにより間仕切りポールがフラットバーに磁力により結合することができるようにする。間仕切りポールには、一般的には、取っ手が取り付けられ、断熱アコーディオンカーテン１の開閉時にこの取っ手を手で握って断熱アコーディオンカーテン１を開閉することができるようになっている。
【００２１】
［断熱アコーディオンカーテンの製造方法］
この断熱アコーディオンカーテン１の製造方法の一例を説明する。
【００２２】
図１４ＡおよびＢに示すように、製造しようとする断熱アコーディオンカーテン１より少し広い二枚のシート１１、１２を用意し、それらの接着フィルム側を内側にして互いに重ね合わせる。この時点では、接着フィルムは接着性がないため、シート１１、１２が互いに接着することはない。
【００２３】
次に、図１５ＡおよびＢに示すように、シート１１、１２をミシン等で等間隔で互いに平行な直線状に縫い合わせる。こうして形成される縫い目３０の間隔は、断熱材２０の幅をｗ、厚さをｔとしたとき、ｗ＋ｔとする。
【００２４】
次に、図１６ＡおよびＢに示すように、一つの縫い目３０とその隣の縫い目３０との間のシート１１、１２同士を離し、断熱材２０を挿入する幅ｗ、厚さｔの長方形の断面形状を有する空間６０を形成する。
【００２５】
次に、図１７ＡおよびＢに示すように、それぞれの空間６０に断熱材２０を挿入する。その際、シート１１、１２は多少の伸縮性があるため、空間６０に断熱材２０をほぼ隙間なく収めることができる。
【００２６】
次に、図１８に示すように、シート１１、１２の上部、下部および両側部を接着フィルムが溶融する温度に加熱して熱接着により貼り合わせた後、シート１１、１２の上部を前方に一定幅折り返す。
【００２７】
次に、図１８に示す状態、および／または、縫い目３０を中心軸としてシート１１、１２で覆われた断熱材２０を折り畳んだ状態で、シート１１、１２を打ち込み繊維クロス、バインダー等が熱収縮を起こす温度（例えば、１２０℃〜１３０℃）に加熱して打ち込み繊維クロス、バインダー等を熱収縮させる。これによって、シート１１を、それぞれの断熱材２０の第１主面の少なくとも周辺部に密着（あるいは接着）させることができ、折り畳み方向に垂直な第１側面の少なくとも周辺部にも密着（あるいは接着）あるいはほぼ密着させることができるとともに、シート１２を、それぞれの断熱材２０の第２主面の少なくとも周辺部に密着（あるいは接着）させることができ、折り畳み方向に垂直な第２側面の少なくとも周辺部にも密着（あるいは接着）あるいはほぼ密着させることができる。
【００２８】
次に、図１９に示すように、シート１１、１２の折り返し部にはとめ４０を形成するとともに、シート１１、１２の下部にミシン等によりスカート５０を縫い付ける。
【００２９】
以上のように、この一実施の形態によれば、断熱性能が極めて高い断熱パネルが折り畳み自在に複数、並列配置された断熱アコーディオンカーテン１を実現することができる。この断熱アコーディオンカーテン１は、冷蔵・冷凍倉庫等の間仕切りや出入り口に用いる場合には軟質のカーテンのように開口間口を大きく自在に設けることができる。また、シート１１、１２は、中間層としてアルミニウム層を含むものの、表面はＰＥＴ等のプラスチックフィルムであって金属面ではないため、冷蔵・冷凍倉庫等の庫内の壁材に用いた場合に結露・着霜の問題がない。また、この断熱アコーディオンカーテン１は、中間層として少なくとも一層のアルミニウム層を含むシート１１、１２により被覆されているため防水性が高く、雨等にも耐性があり、屋内のみならず屋外でも使用することができる。さらに、この断熱アコーディオンカーテン１は、コンパクトに折り畳むことができるため、持ち運びや保管も容易である。また、断熱アコーディオンカーテン１の表面はシート１１、１２を構成するＰＥＴ等のプラスチックフィルムであるため、防汚性能に優れ、衛生的であり、清掃も容易であり、表面が平滑であり手で触れたりした時にも安全である。また、この断熱アコーディオンカーテン１は軽量に構成することができる。
【００３０】
以上、この考案の実施の形態について具体的に説明したが、この考案は上述の実施の形態に限定されるものではなく、この考案の技術的思想に基づく各種の変形が可能である。
【００３１】
例えば、上述の実施の形態において挙げた数値、構成、形状、材料、方法等はあくまでも例に過ぎず、必要に応じてこれらと異なる数値、構成、形状、材料、方法等を用いてもよい。
【符号の説明】
【００３２】
１１、１２…シート、２０…断熱材、３０…縫い目、４０…はとめ、５０…スカート、６０…縫い目、７１…ＰＥＴ層、７２…Ａｌ蒸着膜、７３…バインダー、７４…Ａｌ箔、７５…バインダー、７６…打ち込み繊維クロス、７７…バインダー、７８…接着フィルム、８１、８２…壁、８３…天井、９０…カーテンレール、９１…吊り具、１００…空間、Ｐ1 〜Ｐ4 …断熱パネル
【図１】
0003219140.tif 000003
【図２】
0003219140.tif 000004
【図３】
0003219140.tif 000005
【図４】
0003219140.tif 000006
【図５】
0003219140.tif 000007
【図６】
0003219140.tif 000008
【図７】
0003219140.tif 000009
【図８】
0003219140.tif 000010
【図９】
0003219140.tif 000011
【図１０】
0003219140.tif 000012
【図１１】
0003219140.tif 000013
【図１２】
0003219140.tif 000014
【図１３】
0003219140.tif 000015
【図１４】
0003219140.tif 000016
【図１５】
0003219140.tif 000017
【図１６】
0003219140.tif 000018
【図１７】
0003219140.tif 000019
【図１８】
0003219140.tif 000020
【図１９】
0003219140.tif 000021
【手続補正書】
【提出日】平成30年9月25日(2018.9.25)
【手続補正１】
【補正対象書類名】明細書
【補正対象項目名】０００９
【補正方法】変更
【補正の内容】
【０００９】
上記課題を解決するために、この考案は、
複数の長方形の板状の断熱材が折り畳み方向に並列配置された状態で、中間層として少なくとも一層のアルミニウム層を含む第１シートおよび第２シートの貼り合わせにより形成された偏平な袋に封入され、
上記第１シートは少なくとも、それぞれの上記断熱材の第１主面の少なくとも周辺部に密着し、上記第２シートは少なくとも、それぞれの上記断熱材の第２主面の少なくとも周辺部に密着し、
上記第１シートおよび上記第２シートはそれぞれの上記断熱材の折り畳み方向に垂直な第１側面および第２側面の近傍で互いに縫い合わせられて縫い目が形成され、一つ置きの上記断熱材に対して、上記第１側面の近傍の上記縫い目は上記断熱材の上記第２主面と上記第１側面との間の辺に沿って延在するとともに、上記第２側面の近傍の上記縫い目は上記断熱材の上記第１主面と上記第２側面との間の辺に沿って延在する折り畳み式断熱パネルである。
【手続補正２】
【補正対象書類名】明細書
【補正対象項目名】００１６
【補正方法】変更
【補正の内容】
【００１６】
〈一実施の形態〉
［断熱アコーディオンカーテン］
図１〜図６は一実施の形態による断熱アコーディオンカーテン１の展開状態を示し、図１は正面図、図２は上面図、図３は底面図（下面図）、図４は右側面図、図５は図１の５−５線に沿っての断面図（横断面図）、図６は図１の６−６線に沿っての断面図（縦断面図）である。図７に断熱アコーディオンカーテン１の横断面を拡大して示す。図１〜図７に示すように、この断熱アコーディオンカーテン１は、二枚のシート１１、１２の貼り合わせにより形成された偏平な袋の内部に複数の長方形の板状の断熱材２０が折り畳み方向に並列配置された状態で封入されたものであり、全体として長方形の形状を有する。シート１１、１２は、保護層となるプラスチックフィルム（例えば、ＰＥＴ層）と低密度ポリエチレン等からなる接着フィルムとの間に、少なくとも一層のアルミニウム層、打ち込み繊維クロス（基布）およびこれらの層を相互に接着するためのポリエチレン等からなるバインダーを含むものである。ここでは、一例として、断熱材２０が４つの場合について説明するが、断熱材２０の数はこれに限定されるものではなく、必要に応じて選ばれる。これらの断熱材２０は長辺を互いに平行にしてかつ互いにほぼ密接した状態で配置されている。シート１１、１２により断熱材２０が被覆されたものが断熱パネルＰ1 〜Ｐ4 を構成する。シート１１は、それぞれの断熱材２０の第１主面の少なくとも周辺部に密着（あるいは接着）し、好適には折り畳み方向に垂直な第１側面の少なくとも周辺部に密着（あるいは接着）あるいはほぼ密着している。また、シート１２は、それぞれの断熱材２０の第２主面の少なくとも周辺部に密着（あるいは接着）し、好適には折り畳み方向に垂直な第２側面の少なくとも周辺部に密着（あるいは接着）あるいはほぼ密着している。また、シート１１、１２の上部、下部および両側部は接着（熱接着を含む）、熱圧着、溶着等されている。この結果、シート１１、１２からなる袋の内部に断熱材２０が密封されている。このため、断熱材２０はシート１１、１２により外気から遮蔽されている。シート１１、１２は、それぞれの断熱材２０の第１側面および第２側面の近傍でミシン等により互いに縫い合わせられて縫い目３０が形成され、この縫い目３０に沿ってシート１１、１２が互いに密着している。この場合、一つ置きの断熱材２０に対して、第１側面の近傍の縫い目３０は断熱材２０の第２主面と第１側面との間の辺に沿って延在するとともに、第２側面の近傍の縫い目３０は断熱材２０の第１主面と第２側面との間の辺に沿って延在する。この結果、断熱パネルＰ1 〜Ｐ4 のそれぞれは、縫い目３０を中心軸として回転することができるため、折り畳むことができるようになっている。縫い目３０は図１のシート１１、１２の上部の端と下部の端との間に亘って形成されている。接着（熱接着を含む）、熱圧着、溶着等されたシート１１、１２の上部は前方に折り返されている。そして、この折り返し部のシート１１、１２と折り返し部の下部のシート１１、１２とを貫通して、カーテンレールにこの断熱アコーディオンカーテンを取り付けるための吊り具（所謂ランナー）を取り付けるための金属製のはとめ４０が取り付けられている。はとめ４０は各断熱材２０の上方に形成���れている。一方、シート１１の下部の前面には、この下部の辺に沿って細長い長方形状のスカート５０が取り付けられている。スカート５０は、ミシン等でシート１１、１２と一緒に縫い合わせることでシート１１、１２に固定されている。符号６０は縫い目を示す。スカート５０の高さは、例えば、カーテンレールにこの断熱アコーディオンカーテン１を取り付けた状態でスカート５０の下端がこの断熱アコーディオンカーテン１を設置する部屋の床面や地面等に接触して隙間が発生しないように選ばれるが、これに限定されるものではない。
【手続補正３】
【補正対象書類名】明細書
【補正対象項目名】００２０
【補正方法】変更
【補正の内容】
【００２０】
［断熱アコーディオンカーテンの使用方法］
この断熱アコーディオンカーテン１の使用方法は一般的なアコーディオンカーテンと同様である。すなわち、例えば、断熱アコーディオンカーテン１の一部または全部を開ける場合は、図１１に示す状態で断熱アコーディオンカーテン１の閉じる側を手で持ってほぼ完全に折り畳んで壁８１側または壁８２側に寄せる。図１２および図１３は断熱アコーディオンカーテン１を壁８２側に寄せた状態を示す正面図および平面図である。一般的には、断熱アコーディオンカーテン１を片開きとする場合、断熱アコーディオンカーテン１の一方の側部のシート１１、１２の貼り合わせ部を直角に折り曲げて例えば壁８２に固定するとともに、断熱アコーディオンカーテン１の他方の側部のシート１１、１２を挟む上下方向に延びる間仕切りポールを取り付け、壁８１にはこの間仕切りポールを受けるフラットバーを取り付け、間仕切りポールに取り付けられたマグネットにより間仕切りポールがフラットバーに磁力により結合することができるようにする。間仕切りポールには、一般的には、取っ手が取り付けられ、断熱アコーディオンカーテン１の開閉時にこの取っ手を手で握って断熱アコーディオンカーテン１を開閉することができるようになっている。
【手続補正４】
【補正対象書類名】実用新案登録請求の範囲
【補正対象項目名】全文
【補正方法】変更
【補正の内容】
【実用新案登録請求の範囲】
【請求項１】
複数の長方形の板状の断熱材が折り畳み方向に並列配置された状態で、中間層として少なくとも一層のアルミニウム層を含む第１シートおよび第２シートの貼り合わせにより形成された偏平な袋に封入され、
上記第１シートは少なくとも、それぞれの上記断熱材の第１主面の少なくとも周辺部に密着し、上記第２シートは少なくとも、それぞれの上記断熱材の第２主面の少なくとも周辺部に密着し、
上記第１シートおよび上記第２シートはそれぞれの上記断熱材の折り畳み方向に垂直な第１側面および第２側面の近傍で互いに縫い合わせられて縫い目が形成され、一つ置きの上記断熱材に対して、上記第１側面の近傍の上記縫い目は上記断熱材の上記第２主面と上記第１側面との間の辺に沿って延在するとともに、上記第２側面の近傍の上記縫い目は上記断熱材の上記第１主面と上記第２側面との間の辺に沿って延在する折り畳み式断熱パネル。
【請求項２】
上記第１シートおよび上記第２シートの一方の主面がポリエチレンテレフタレート層により形成され、他方の主面が接着フィルムにより形成されている請求項１記載の折り畳み式断熱パネル。
【請求項３】
上記第１シートおよび上記第２シートは中間層として熱により収縮可能な層を有する請求項１または２記載の折り畳み式断熱パネル。
【請求項４】
上記熱により収縮可能な層が打ち込み繊維からなる請求項３記載の折り畳み式断熱パネル。
【請求項５】
上記折り畳み式断熱パネルが断熱アコーディオンカーテンである請求項１〜４のいずれか一項記載の折り畳み式断熱パネル。
【請求項６】
折り畳み方向に垂直な方向の上記袋のそれぞれの上記断熱材に対応する一方の端部に上記断熱アコーディオンカーテンをカーテンレールに取り付ける際に用いられるはとめが形成されている請求項５記載の折り畳み式断熱パネル。
【請求項７】
折り畳み方向に垂直な方向の上記袋の他方の端部にスカートが形成されている請求項６記載の折り畳み式断熱パネル。